(57)【要約】      （修正有）【課題】商品の意匠性を損ねずに、台紙だけで商品を固定することが可能な包装用台紙を提供する。【解決手段】包装用台紙１は、商品４を保持するためのものであり、表面２１と裏面とを含み、表面２１に商品４が固定される表台紙２と、表台紙２の裏面に重ね合わされる裏台紙とを備える。表台紙２は、切り込みにより形成された切り起こし片２５，２６を有し、切り起こし片２５，２６は、商品４の一部に巻き付けられ、その先端が表台紙２の裏面側に折り返され、表台紙２と裏台紙との間に挟まれて固定される。【選択図】図４
0003221303.tif 000002
【実用新案登録請求の範囲】
【請求項１】
商品を保持するための包装用台紙において、
表面と裏面とを含み、前記表面に前記商品が固定される表台紙と、
前記表台紙の裏面に重ね合わされる裏台紙とを備え、
前記表台紙は、切り込みにより形成された切り起こし片を有し、
前記切り起こし片は、前記商品の一部に巻き付けられ、その先端が前記表台紙の裏面側に折り返され、前記表台紙と前記裏台紙との間に挟まれて固定される、包装用台紙。
【請求項２】
前記表台紙には、前記切り起こし片に隣接して、前記裏台紙が視認できる開口部が形成され、
前記表台紙に固定される前記商品は、前記開口部と重なる位置に開口を有する、請求項１に記載の包装用台紙。
【請求項３】
前記表台紙には、絵柄模様が設けられており、
前記開口部から視認できる前記裏台紙には、前記表台紙の絵柄模様との連続性を有する絵柄模様が設けられている、請求項２に記載の包装用台紙。
【請求項４】
前記表台紙と前記裏台紙は、一体的に設けられ、折り返されることにより重ね合わされる、請求項１〜３のいずれかに記載の包装用台紙。
【請求項５】
前記切り起こし片は、２つ以上設けられ、
少なくとも一方の切り起こし片は、一方向への移動を規制するものであり、
他方の切り起こし片は、前記一方向とは異なる方向への移動を規制するものである、請求項１〜４のいずれかに記載の包装用台紙。
【請求項６】
前記表台紙および前記裏台紙は、紙製である、請求項１〜５のいずれかに記載の包装用台紙。
【考案の詳細な説明】
【技術分野】
【０００１】
この考案は、商品を保持するための包装用台紙に関するものである。
【背景技術】
【０００２】
従来より、商品を台紙に保持させて、店頭などで陳列して販売することが知られている。商品を台紙に保持させる場合、ワイヤーなどを用いることが一般的である。
【０００３】
また、商品を台紙に固定させる方法として、特開２００１−１６３３６０号公報（特許文献１）および実開昭５９−１２９７６５号公報（特許文献２）が知られている。
【０００４】
特許文献１には、台紙の上方端および下方端に切り込みを設け、その切り込みで商品を保持するフィルムを保持することで、商品を台紙に保持させることが開示されている。また、特許文献２には、台紙に固着したフィルムで商品を台紙に固定することが開示されている。
【先行技術文献】
【特許文献】
【０００５】
【特許文献１】特開２００１−１６３３６０号公報
【特許文献２】実開昭５９−１２９７６５号公報
【考案の概要】
【考案が解決しようとする課題】
【０００６】
特許文献１および特許文献２では、商品を台紙に保持させるために、商品を保持するフィルムが必要であり、部品点数が多かった。また、ワイヤーで商品を台紙に固定すると、ワイヤーが見えてしまうため、商品の意匠性を損ねてしまうおそれがある。
【０００７】
本考案は、上記の課題を解決するためになされたものであり、その目的は、商品の意匠性を損ねずに、台紙だけで商品を固定することが可能な包装用台紙を提供することである。
【課題を解決するための手段】
【０００８】
この目的のため、この考案の一態様に係る包装用台紙は、商品を保持するためのものであり、表面と裏面とを含み、表面に商品が固定される表台紙と、表台紙の裏面に重ね合わされる裏台紙とを備え、表台紙は、切り込みにより形成された切り起こし片を有し、切り起こし片は、商品の一部に巻き付けられ、その先端が表台紙の裏面側に折り返され、表台紙と裏台紙との間に挟まれて固定される。
【０００９】
上記構成の本考案によれば、表台紙の切り込みにより形成された切り起こし片で商品を保持することができ、ワイヤーなどの商品を保持する部材が不要であるため、台紙だけで商品を保持することができる。さらに、切り起こし片の先端は、表台紙と裏台紙の間に挟まれて固定され、外部から見えないため、商品の意匠性を損ねない。
【００１０】
好ましくは、表台紙には、切り起こし片に隣接して、裏台紙が視認できる開口部が形成され、表台紙に固定される商品は、開口部と重なる位置に開口を有する。
【００１１】
好ましくは、表台紙には、絵柄模様が設けられており、開口部から視認できる裏台紙には、表台紙の絵柄模様との連続性を有する絵柄模様が設けられている。
【００１２】
好ましくは、表台紙と裏台紙は、一体的に設けられ、折り返されることにより重ね合わされる。
【００１３】
好ましくは、切り起こし片は、２つ以上設けられ、少なくとも一方の切り起こし片は、一方向への移動を規制するものであり、他方の切り起こし片は、一方向とは異なる方向への移動を規制するものである。
【００１４】
好ましくは、表台紙および裏台紙は、紙製である。
【考案の効果】
【００１５】
本考案の包装用台紙によれば、商品の意匠性を損ねずに、台紙だけで商品を固定することが可能となる。
【図面の簡単な説明】
【００１６】
【図１】本考案の実施の形態に係る包装用台紙を正面側から見た展開図である。
【図２】本考案の実施の形態に係る包装用台紙を背面側から見た展開図である。
【図３】本考案の実施の形態に係る包装用台紙に固定される商品の一例を示す平面図である。
【図４】本考案の実施の形態に係る包装用台紙に商品を固定させた状態を示す平面図である。
【図５】本考案の実施の形態に係る包装用台紙の切り起こし片を切り起こした状態を示す図である。
【図６】本考案の実施の形態に係る包装用台紙の上に商品を載置し、切り起こし片を商品に巻きつける状態を示す斜視図である。
【図７】切り起こし片を商品に巻きつけた状態を示す背面図である。
【考案を実施するための形態】
【００１７】
本考案の実施の形態について図面を参照しながら詳細に説明する。なお、図中同一また
は相当部分には同一符号を付してその説明は繰返さない。
【００１８】
図１〜図４を参照して、本実施の形態に係る包装用台紙１について説明する。図１において矢印Ａ１で示す縦方向を上下方向といい、矢印Ａ２で示す横方向を左右方向という。
【００１９】
本実施の形態に係る包装用台紙１は、商品を保持するものである。包装用台紙１は、表台紙２と、裏台紙３とを備える。
【００２０】
包装用台紙１の説明に先立ち、包装用台紙１で保持される商品４について説明する。図３に示すように、包装用台紙１で保持される商品４の一例として、ピーラーが挙げられる。しかし、商品４は、それ自体に開口を有するものであればよく、たとえばはさみなどの文房具、その他の調理用具など様々な商品であってもよい。以下の説明では、商品４としてピーラーを用いて説明する。
【００２１】
ピーラー４は、野菜や果物などの皮を剥く調理器具である。図３を参照して、ピーラー４は、たとえばＴ字型であり、概略的には、取っ手４０と刃部４４とを備える。取っ手４０は、使用者が掴む把持部４１と、刃部４４を取り付ける取付部４２とを含む。把持部４１と取付部４２とは、一体的に設けられ、長尺部材を折り曲げて形成されている。把持部４１と取付部４２との境界部分には、くびれ部４３が設けられている。くびれ部４３は、図６に示すように上下に貫通する貫通穴を有する。また、ピーラー４は、刃部４４、取付部４２およびくびれ部４３で囲まれる部分に第１開口４５が形成され、把持部４１およびくびれ部４３で囲まれる部分に第２開口４６が形成される。第１開口４５は、平面視において略横長の矩形形状であり、第２開口４６は、平面視において略縦長の矩形形状である。
【００２２】
図１および図２を参照して、包装用台紙１の表台紙２は、たとえば正面視において略矩形形状である。表台紙２は、たとえば紙製であり、表台紙本体２０と、表台紙本体２０の上方側に設けられる縦切り起こし片２５および横切り起こし片２６とを含む。
【００２３】
表台紙本体２０は、表面２１と、裏面２２とを有する。図４に示すように、表台紙本体２０の表面２１には、ピーラー４が固定される。また、表面２１には、絵柄模様が設けられている。ここで、絵柄模様とは、たとえば、自然物（動植物、風景、人物など）、人工物（車、建物など）、または、標章（文字、図形、記号など）の模様などを意味する。以下の説明において、裏台紙３にも絵柄模様が付されているが、同様の意味である。なお、本実施の形態では、絵柄模様として、例示的に波模様を図示しているが、商品４に応じて様々な絵柄模様が付される。なお、絵柄模様は、表面２１全体に設けられていてもよいが、一部分であってもよい。また、表台紙本体２０の上方端近傍には、吊り下げ棒を貫通させるための孔部２３が設けられている。
【００２４】
図１，図２に示すように、縦切り起こし片２５および横切り起こし片２６は、ピーラー４の一部に巻き付けられて、ピーラー４を表台紙２の表面２１に保持するものである。切り起こし片２５，２６は、切り込み２８，２９により形成される。つまり、切り起こし片２５，２６は、表台紙２と同じ紙製である。また、切り起こし片２５，２６は、帯状であり、その短尺方向の寸法（切り起こし片２５，２６が延在する方向に対して直交する方向の寸法）は、５ｍｍ以上２０ｍｍ以下、好ましくは１０ｍｍ以上１５ｍｍ以下である。
【００２５】
縦切り起こし片２５および横切り起こし片２６は、直交するように設けられている。横切り起こし片２６は、ピーラー４の横方向の移動を規制し、縦切り起こし片２５は、ピーラー４の上下方向の移動を規制する。
【００２６】
このように、切り起こし片２５，２６の形状および配置を工夫することで、ピーラー４を強固に表台紙２上に固定することができ、ピーラー４の移動を確実に規制することができる。また、切り起こし片２５，２６は、表台紙本体２０を切り起こして形成されるため、切り起こし片２５，２６が目立たずに、ピーラー４の意匠性を損ねることがない。
【００２７】
図１，図４に示すように、縦切り起こし片２５は、表台紙本体２０への切り込み２８により形成され、表台紙本体２０から連続して上下方向に延びる。縦切り起こし片２５は、ピーラー４のくびれ部４３に巻き付けられる。縦切り起こし片２５は、表台紙本体２０から連続する第１部分２５ａと、第１部分２５ａから連続する第２部分２５ｂとを有する。表台紙本体２０と第１部分２５ａとの境界は、折り曲げ可能であり、第１部分２５ａと第２部分２５ｂの境界部分も折り曲げ可能である。なお、図１，２において、折り曲げ可能な部分を破線で示している。
【００２８】
横切り起こし片２６は、表台紙本体２０への切り込み２９により形成され、表台紙本体２０から連続して、左右方向に延びる。横切り起こし片２６は、ピーラー４の取付部４２に巻き付けられる。横切り起こし片２６は、表台紙本体２０から連続する第１部分２６ａと、第１部分２６ａから連続する第２部分２６ｂと、第２部分２６ｂから連続する第３部分２６ｃとを有する。表台紙本体２０と第１部分２６ａとの境界部分、第１部分２６ａと第２部分２６ｂの境界部分、および、第２部分２６ｂと第３部分２６ｃの境界部分は、折り曲げ可能である。また、横切り起こし片２６の下端部は、縦切り起こし片２５の上端部と接している。
【００２９】
図１，図２に示すように、表台紙２には、縦切り起こし片２５および横切り起こし片２６に隣接して、開口部２４が設けられる。開口部２４は、縦切り起こし片２５および横切り起こし片２６を切り起こして形成される。つまり、開口部２４の外周縁の一部は、切り込み２８，２９により形成される。また、表台紙２に固定されるピーラー４は、表台紙２の開口部２４と重なる位置に第１開口４５を有する。具体的には、開口部２４は、ピーラー４の第１開口４５の形状と同一である。これにより、表台紙２の表面２１上にピーラー４を載置した場合に、表台紙２の開口部２４とピーラー４の第１開口４５とは、一致する。また、この開口部２４は、裏台紙３を表台紙２の裏面２２に重ね合わせた場合に、裏台紙３が視認できる。
【００３０】
図１，２に示すように、裏台紙３は、表台紙２と一体的に設けられる。裏台紙３は、表台紙２の上端縁から表台紙２の裏面２２側に折り返されることにより、表台紙２の裏面２２に重ね合わされる。裏台紙３は、表台紙２と同一形状であり、たとえば正面視において略矩形形状である。裏台紙３は、表台紙２と同様に、たとえば紙製であり、裏台紙本体３０を含む。
【００３１】
裏台紙本体３０は、表面３１と、裏面３２とを有する。裏台紙本体３０の裏面３２には、絵柄模様が設けられている。この絵柄模様は、表台紙本体２０の絵柄模様と同じ波模様である。裏台紙３は、折り返されることにより、表台紙２の裏面２２に重ね合わされるため、表台紙２の絵柄模様との連続性を確保するために、裏台紙本体３０の絵柄模様は、表台紙本体２０の絵柄模様を上下反転して設けられる。
【００３２】
これにより、図４に示すように、表台紙２の絵柄模様と、開口部２４から視認できる裏台紙３の絵柄模様とが連続性を有するため、表台紙２に開口部２４がないような印象となり、包装用台紙１の意匠性を向上させることができる。
【００３３】
なお、図２に示すように、絵柄模様は、裏台紙本体３０の裏面３２全体に設けられていてもよいが、表台紙２の裏面２２に裏台紙３を重ね合わせた場合に、少なくとも表台紙２の開口部２４から視認できる部分に設けられていればよい。また、裏台紙本体３０の下方端近傍には、吊り下げ棒を貫通させるための孔部３３を有する。裏台紙本体３０の孔部３３は、裏台紙３を折り曲げた場合に、表台紙本体２０の孔部２３に重なる位置に設けられる。
【００３４】
次に、図５〜図７を参照して、ピーラー４を包装用台紙１に保持する方法について説明する。
【００３５】
まず、図５に示すように、包装用台紙１の切り起こし片２５，２６をそれぞれ切り起こす。縦切り起こし片２５の第１部分２５ａおよび第２部分２５ｂをそれぞれ折り曲げ、横切り起こし片２６の第１部分２６ａ、第２部分２６ｂおよび第３部分２６ｃをそれぞれ折り曲げる。
【００３６】
次に、図６に示すように、表台紙本体２０の表面２１上にピーラー４を載置する。この場合、表台紙２の開口部２４とピーラー４の第１開口４５とを一致させる。さらに、縦切り起こし片２５と横切り起こし片２６をピーラー４に巻きつける。具体的には、縦切り起こし片２５をピーラー４のくびれ部４３の貫通孔に通して、くびれ部４３と縦切り起こし片２５の第１部分２５ａとを対面させる。図７に示すように、縦切り起こし片２５の第２部分２５ｂを表台紙２の裏面２２に折り曲げて、第２部分２５ｂと裏面２２をたとえばのりやテープなどで貼り付ける。
【００３７】
さらに、横切り起こし片２６をピーラー４の取付部４２に巻きつける。具体的には、横切り起こし片２６の第１部分２６ａをピーラー４の取付部４２の外壁部に沿わせて、第２部分２６ｂを取付部４２の内壁部に沿わせる。図７に示すように、横切り起こし片２６の第３部分２６ｃを表台紙本体２０の裏面２２に折り曲げて、第３部分２６ｃと裏面２２をたとえばのりやテープなどで貼り付ける。
【００３８】
さらに、図７の矢印で示すように、裏台紙３の裏面３２を表台紙２の裏面２２に折り曲げて、裏台紙３の裏面３２を表台紙２の裏面２２に、たとえばのりなどで圧着する。この場合、縦切り起こし片２５の第２部分２５ｃと横切り起こし片２６の第３部分２６ｃは、表台紙２の裏面２２と裏台紙３の表面３１の間に挟まれて固定される。これにより、図４に示すように、表台紙２から切り起こした切り起こし片２５，２６でピーラー４を保持することができるため、台紙だけで商品を保持することが可能となる。さらに、切り起こし片２５，２６の先端部分が表台紙２からだけでなく、裏台紙３からも見えないため、包装用台紙１としての意匠性を向上させることができる。
【００３９】
なお、上記実施の形態では、切り起こし片は２つ設けられるとして説明したが、切り起こし片は３つ以上設けられても良い。また、少なくとも一方の切り起こし片は、一方向への移動を規制するものであり、他方の切り起こし片は、異なる方向への移動を規制するものであればよい。たとえば一方の切り起こし片が横方向への移動を規制するものである場合、他方の切り起こし片は、斜め横方向への移動を規制するものであってもよい。
【００４０】
また、表台紙２および裏台紙３は紙製であるとして説明したが、たとえばプラスチック、アルミニウムなどであってもよい。
【００４１】
さらに、表台紙２および裏台紙３は、一体的に設けられていなくてもよく、表台紙２と裏台紙３とは別に設けられて、表台紙２の裏面２２に裏台紙３が貼り付けられていればよい。
【００４２】
本考案は、図示した実施形態のものに限定されない。図示した実施形態に対して、この考案と同一の範囲内において、あるいは均等の範囲内において、種々の修正や変形を加えることが可能である。
【符号の説明】
【００４３】
１  包装用台紙、２  表台紙、３  裏台紙、４  商品（ピーラー）、２０  表台紙本体、２１，３１  表面、２２，３２  裏面、２３，３３  孔部、２４  開口部、２５  縦切り起こし片、２６  横切り起こし片、２５ａ，２６ａ  第１部分、２５ｂ，２６ｂ  第２部分、２６ｃ  第３部分、３０  裏台紙本体、４０  取っ手、４１  把持部、４２  取付部、４３  くびれ部、４４  刃部、４５  第１開口、４６  第２開口。
【図１】
0003221303.tif 000003
【図２】
0003221303.tif 000004
【図３】
0003221303.tif 000005
【図４】
0003221303.tif 000006
【図５】
0003221303.tif 000007
【図６】
0003221303.tif 000008
【図７】
0003221303.tif 000009